(57)【特許請求の範囲】
【請求項１】
エアフィルタと、該エアフィルタを掃除するブラシと、
内部に前記ブラシが設けられて、該ブラシと共に前記エアフィルタの表面を往復移動するケースと、
前記ブラシ及び前記ケースを往復移動させるために前記ケースに設けられた推進機構と、
前記ケースが往復移動する方向に沿って設けられて前記推進機構を支持する支持部と、
前記ケースが往復移動する方向に沿って設けられた基材とを備え、
前記基材は、前記ブラシが往復移動する方向に沿って設けられたガイド部を備え、
前記ケースには、前記基材に設けられた前記ガイド部と係合して該ガイド部に対して摺動し、前記ケースの移動をガイドする断面コ字状の摺接部を有するガイドスペーサーと、該ガイドスペーサーを前記ケースに取り付けるねじと、が設けられ、
前記ガイドスペーサーは、前記ねじと前記ケースの間、又は前記ねじと前記推進機構の間に配置され、
前記ガイド部と前記ガイドスペーサーとが係合することにより、前記ブラシが往復移動する方向に対して直交する方向への前記ケースの移動が規制されるものであって、前記ガイドスペーサーと前記ガイド部との接触時の摺動抵抗を低減する為の摺動抵抗抑制手段を備え、
前記摺動抵抗抑制手段は、前記ガイド部との摺動抵抗により回転可能なリング状部材であることを特徴とするエアフィルタ掃除装置。
【請求項２】
支持部はラックであって、推進機構は前記ラックと噛み合うピニオンであることを特徴とする請求項１に記載のエアフィルタ掃除装置。
【請求項３】
ガイド部はレール状であることを特徴とする請求項１又は２に記載のエアフィルタ掃除装置。
【発明の詳細な説明】
【技術分野】
【０００１】
本発明は、ブラシによりエアフィルタの掃除を行うエアフィルタ掃除装置に関するものである。
【背景技術】
【０００２】
従来から、エアフィルタを掃除するブラシを備えたエアフィルタ掃除装置が知られている（特許文献１）。この特許文献１に記載されたエアフィルタ掃除装置は、図５の断面図に示すように、エアフィルタ掃除装置の掃除ユニット３１は、ブラシを収容するケース３４から外方へ突出する突起３５を備えており、ピニオン３６が、基材３２にねじ止めされたラック３３と噛合っている状態において、突起３５がラック３３に形成されたラック溝３７に挿入されている。尚、図５は、掃除ユニット３１の長手方向の一方側の構成を示しているが、他方側の構成も同様の構成となっている。これらの構成によって、ブラシが往復移動する方向に対して直交する方向へのケース３４の移動が規制されている。
【先行技術文献】
【特許文献】
【０００３】
【特許文献１】特開２０１１−２５７５５１号公報
【発明の概要】
【発明が解決しようとする課題】
【０００４】
しかしながら、上記特許文献１のエアフィルタ掃除装置では、掃除ユニット３１の長手方向の左右両側から突起３５が外方へ突出していることから、掃除ユニット３１の組み付け時には、掃除ユニット３１を斜めにずらした状態で、一方の突起３５を一方のラック溝３７に挿入して組み付けなければならず、組み付け時間を要すると共に、ブラシとエアフィルタのラップ量の調整精度にバラツキが生じる可能性があった。また、組み付け不良の場合には、突起３５とラック溝３７との摺動抵抗が大きくなり、異音の発生や、摩耗が発生する可能性があった。
【０００５】
本発明は、上記課題を解決する為になされたもので、ブラシとエアフィルタのラップ量の調整を精度よく行うことができると共に、組み付け時間を短縮することができるエアフィルタ掃除装置を提供することを目的としている。
【課題を解決するための手段】
【０００６】
上記従来の課題を解決する為に、請求項１の発明は、エアフィルタ掃除装置の発明であって、エアフィルタと、該エアフィルタを掃除するブラシと、内部に前記ブラシが設けられて、該ブラシと共に前記エアフィルタの表面を往復移動するケースと、前記ブラシ及び前記ケースを往復移動させるために前記ケースに設けられた推進機構と、前記ケースが往復移動する方向に沿って設けられて前記推進機構を支持する支持部と、前記ケースが往復移動する方向に沿って設けられた基材とを備え、前記基材は、前記ブラシが往復移動する方向に沿って設けられたガイド部を備え、前記ケースには、前記基材に設けられた前記ガイド部と係合して該ガイド部に対して摺動し、前記ケースの移動をガイドする断面コ字状の摺接部を有するガイドスペーサーと、該ガイドスペーサーを前記ケースに取り付けるねじと、が設けられ、前記ガイドスペーサーは、前記ねじと前記ケースの間、又は前記ねじと前記推進機構の間に配置され、前記ガイド部と前記ガイドスペーサーとが係合することにより、前記ブラシが往復移動する方向に対して直交する方向への前記ケースの移動が規制されるものであって、前記ガイドスペーサーと前記ガイド部との接触時の摺動抵抗を低減する為の摺動抵抗抑制手段を備え、前記摺動抵抗抑制手段は、前記ガイド部との摺動抵抗により回転可能なリング状部材であることを特徴としている。したがって、ガイド部に、該ガイド部に対して摺動するガイドスペーサーを組み付けるだけで、ブラシの組み付けを行うことができるので、ブラシとエアフィルタのラップ量（エアフィルタに摺接させる部分のブラシの長さ）の調整を精度よく行うことができると共に、組み付け時間を短縮することができる。また、摺動抵抗抑制手段によって、異音の発生や、摩耗の発生を抑制することができる。
【０００７】
請求項２の発明は、請求項１に記載の構成よりなるエアフィルタ掃除装置において、支持部はラックであって、推進機構は前記ラックと噛み合うピニオンであることを特徴としている。したがって、ラックとピニオンの噛合により、確実にブラシが設けられたケースを往復移動させることができる。
【０００８】
請求項３の発明は、請求項１又は２に記載の構成よりなるエアフィルタ掃除装置において、ガイド部がレール状であることを特徴としている。したがって、ケースがエアフィルタの表面を往復移動する際に、ガイドスペーサーをレール状のガイド部と確実に係合させることができるので、ケースがガイド部から外れずることなく、スムーズに移動することができる。
【発明の効果】
【００１０】
請求項１のエアフィルタ掃除装置の発明では、ブラシとエアフィルタのラップ量の調整を精度よく行うことができると共に、組み付け時間を短縮することができる。また、異音の発生や、摩耗の発生を抑制することができる。また、請求項２の発明では、確実にブラシが設けられたケースを往復移動させることができる。さらに、請求項３の発明では、ケースがガイド部から外れることなく、スムーズに移動することができる。
【図面の簡単な説明】
【００１１】
【図１】（ａ）本発明に係るエアフィルタ掃除装置の第１実施形態を示す斜視図（ｂ）図１（ａ）の一部を拡大した斜視図
【図２】（ａ）本発明に係るエアフィルタ掃除装置の第１実施形態を示す断面図（ｂ）本発明に係るエアフィルタ掃除装置の第２実施形態を示す断面図
【図３】（ａ）本発明に係るエアフィルタ掃除装置の第３実施形態を示す断面図（ｂ）本発明に係るエアフィルタ掃除装置の第４実施形態を示す断面図
【図４】（ａ）本発明に係るエアフィルタ掃除装置の第５実施形態を示す断面図（ｂ）本発明に係るエアフィルタ掃除装置の第６実施形態を示す断面図
【図５】従来のエアフィルタ掃除装置を示す断面図
【発明を実施するための形態】
【００１２】
以下、本発明の実施の形態について、図面を参照しながら説明する。なお、この実施の形態により本発明が限定されるものではない。
【００１３】
図１（ａ）は、本発明に係るエアフィルタ掃除装置の第１実施形態を示す斜視図であり、図１（ｂ）は、図１（ａ）の一部を拡大した斜視図である。図１に示すように、第１実施形態のエアフィルタ掃除装置１０は、エアフィルタ１を掃除する回転ブラシ２と、回転ブラシ２が設置されているケース３と、ケース３に設置された推進機構であるピニオン４、４と、ピニオン４、４を支持する支持部であるラック５、５と、基材６とを備えている。
【００１４】
ここで、ピニオン４、４は、モータ７に連結された回転軸８に固定されており、モータ７の正逆回転によって、回転軸８ａが回転すると、ピニオン４、４は、ラック５、５に噛合して回転する。また、回転軸８ａに固定されたギヤ９と、回転ブラシ２の回転軸８ｂに固定されているギヤ１１とが噛合しており、モータ７の正逆回転によって、回転ブラシ２が正逆回転する構成としている。
【００１５】
したがって、モータ７を正逆回転させると、回転ブラシ２を正逆回転させると共に、回転ブラシ２が設置されたケース３を、ラック５、５の長手方向に沿って往復移動させることができる。そして、ケース３が往復移動する方向に沿って基材６にエアフィルタ１が設置されている。
【００１６】
また、基材６は、回転ブラシ２が往復移動する方向に沿って設けられたガイド部１２、１２を備えている。そして、ケース３には、基材６のガイド部１２、１２と係合して該ガイド部１２、１２に対して摺動するガイドスペーサー１３が設置されている。そして、ガイド部１２、１２とガイドスペーサー１３とが係合することにより、回転ブラシ２が往復移動する方向に対して直交する方向へのケース３の移動が規制される構成としている。ここで、ガイドスペーサー１３の好適な材質として、ジュラコン樹脂、ポリアセタール樹脂、金属等を挙げることができる。
【００１７】
尚、第１実施形態におけるガイド部１２、１２は、ラック５、５の長手方向に沿って、基材６に形成された長穴１４によって、該長穴１４の両側にレール状に形成されている。
【００１８】
図２（ａ）は、本発明に係るエアフィルタ掃除装置の第１実施形態を示す断面図である。第１実施形態のエアフィルタ掃除装置１０は、長穴の両側に形成されたガイド部１２とガイドスペーサー１３とが係合することにより、回転ブラシ２が往復移動する方向に対して直交する方向へのケース３の移動が規制される構成としており、ガイドスペーサー１３は、ガイド部１２が摺接する断面コ字状の摺接部１３ａを有するものである。そして、ガイドスペーサー１３は、ねじ１５によって、ケース３側に固定されている。したがって、前述した従来のエアフィルタ掃除装置と比較して、ブラシとエアフィルタのラップ量の調整を精度よく行うことができると共に、組み付け時間を短縮することができる。
【００１９】
図２（ｂ）は、本発明に係るエアフィルタ掃除装置の第２実施形態を示す断面図である。第２実施形態のエアフィルタ掃除装置２０は、基材６に形成されたガイド部１６、１６とガイドスペーサー１３とが係合することにより、回転ブラシ２が往復移動する方向に対して直交する方向へのケース３の移動が規制される構成としており、ガイドスペーサー１３は、ガイド部１６が摺接する断面コ字状の摺接部１３ａを有するものである。そして、ガイドスペーサー１３は、ねじ１５によって、ケース３側に固定されている。したがって、第１実施形態の長穴１４によって形成されるガイド部１２と比較して、基材６のねじれ剛性を向上させることができる。
【００２０】
図３（ａ）は、本発明に係るエアフィルタ掃除装置の第３実施形態を示す断面図である。第３実施形態のエアフィルタ掃除装置では、ケース３ａを、長穴１４ａ側に突出させており、この突出させた部分に対して回転可能な状態としたガイドスペーサー１７が、ねじ１８によって取り付けられている。したがって、ガイドスペーサー１７は、ガイド部１２ａとの接触時の摺動抵抗を低減する為の摺動抵抗抑制手段となっている。したがって、第１及び第２実施形態の回転しないガイドスペーサー１３の場合と比較して、摺動抵抗を低減させることができ、ケースの移動がスムーズになると共に、揺れや異音の発生、摩耗の発生を抑制して安定した移動を可能としている。
【００２１】
図３（ｂ）は、本発明に係るエアフィルタ掃除装置の第４実施形態を示す断面図である。第４実施形態のエアフィルタ掃除装置では、ケース３に対してワッシャーａ２４、固定リング２３、ワッシャーｂ２５がねじ２１により順に固定されていると共に、固定リング２３の外側に回転リング２２が回転可能な状態で設置されている。長穴の両側に形成されたガイド部１２ｂとワッシャーａ２４、ワッシャーｂ２５及び回転リング２２とが係合することにより、回転ブラシが往復移動する方向に対して直交する方向へのケース３の移動が規制される構成としている。したがって、ワッシャーａ２４、ワッシャーｂ２５及び固定リング２３の外側に回転可能な状態で設置されている回転リング２２は、ガイド部１２ｂとの接触時の摺動抵抗を低減する為の摺動抵抗抑制手段となっている。また、第３実施形態では、樹脂又は金属により形成されたガイドスペーサーと、樹脂により形成されたケースとの間での摩擦であるのに対して、本実施形態では金属により形成された固定リングと金属により形成された回転リングとの間での摩擦となることから、摺動抵抗をより抑制することができる。尚、ワッシャーａ２４、ワッシャーｂ２５及び固定リング２３の代わりに、一体的なガイドスペーサーを設けてもよく、回転リング２２の代わりにベアリングなどガイド部１２ｂとの接触時に摺動抵抗を低減できる構造であれば本発明の実施形態に含まれるものである。
【００２２】
図４（ａ）は、本発明に係るエアフィルタ掃除装置の第５実施形態を示す断面図である。第５実施形態のエアフィルタ掃除装置は、長穴の両側に形成されたガイド部１９とガイドスペーサー１３とが係合することにより、回転ブラシ２が往復移動する方向に対して直交する方向へのケース３の移動が規制される構成と、ガイドスペーサー１３が、ガイド部１９が摺接する断面コ字状の摺接部を有するものであって、ねじ１５によって、ケース３側に固定されている構成は、第１実施形態と同様の構成であるが、ガイド部１９の設置位置が、第１実施形態のように、エアフィルタ１を固定する外枠近傍に形成されていない点において相違している。第５実施形態に示すように、ガイド部１９を基材６の側面に形成することによっても第１実施形態に示したエアフィルタ掃除装置と同様の効果を奏することができると共に、ケース３を取り外す際に、基材６を取り外す手間を省くことができる。
【００２３】
図４（ｂ）は、本発明に係るエアフィルタ掃除装置の第６実施形態を示す断面図である。第６実施形態のエアフィルタ掃除装置は、ガイド部１９の設置位置が、第１実施形態のように、エアフィルタ１を固定する外枠近傍に形成されていない点が、第５実施形態と同様に相違している。また、第６実施形態では、ガイドスペーサー１３が推進機構であるピニオン４に直接固定される構成としている。このように構成することによって、ケース３を介さずに固定しているため、ブラシとエアフィルタのラップ量の調整精度の向上を図ることができる。尚、第３実施形態又は第４実施形態の構成におけるケース３ａ又はケース３をピニオン４に置き換えることによって、同実施形態で示した摺動抵抗抑制手段を第６実施形態においても適用することが可能である。
【産業上の利用可能性】
【００２４】
本発明のエアフィルタ掃除装置は、ブラシによりエアフィルタの掃除を行う装置として使用される。
【符号の説明】
【００２５】
１  エアフィルタ
２  回転ブラシ
３、３ａ  ケース
４  ピニオン
５  ラック
６  基材
７  モータ
８ａ、８ｂ  回転軸
９、１１  ギヤ
１０、２０  エアフィルタ掃除装置
１２、１２ａ、１２ｂ、１６、１９  ガイド部
１３、１７  ガイドスペーサー
１３ａ  摺接部
１４、１４ａ  長穴
１５、１８、２１  ねじ
２２  回転リング
２３  固定リング
２４  ワッシャーａ
２５  ワッシャーｂ
【図１】
0006376658.tif 000002
【図２】
0006376658.tif 000003
【図３】
0006376658.tif 000004
【図４】
0006376658.tif 000005
【図５】
0006376658.tif 000006